(57)【要約】【課題】帯状清掃布上に堆積した綿状の塵埃を周囲に飛散させずに集塵することができる乗客コンベアの移動手摺清掃装置の提供。【解決手段】エスカレータ１に備えられる移動手摺４の塵埃２０を拭取る帯状清掃布７の使用部分７Ａ上に堆積する綿状の塵埃２０を除去する塵埃除去板１９を有し、この塵埃除去板１９によって除去された綿状の塵埃２０を回収する塵埃回収容器１８を設けるとともに、前述の塵埃除去板１９を、帯状清掃布７を移動手摺４に押し付ける清掃布押付手段１０に含まれる押し台１０Ａと帯状清掃布７を巻き取るための巻取り軸９との間に位置する帯状清掃布７の使用部分７Ａ上に堆積した綿状の塵埃２０を除去可能な位置である帯状清掃布７の移動方向Ｄに沿うように延設させた構成とした。【選択図】図３
2009091080.tif 000002
【特許請求の範囲】
【請求項１】
乗客コンベアに備えられる移動手摺の塵埃を拭取る帯状清掃布と、この帯状清掃布を前記移動手摺に押し付ける清掃布押付手段と、この清掃布押付手段によって押し付けられた前記帯状清掃布を巻き取るための巻取り軸とを有する乗客コンベアの移動手摺清掃装置において、
前記帯状清掃布上に堆積する塵埃を除去する塵埃除去板と、この塵埃除去板によって除去された塵埃を回収する塵埃回収容器を設けたことを特徴とする乗客コンベアの移動手摺清掃装置。
【請求項２】
請求項１に記載の発明において、
前記塵埃除去板を、前記清掃布押付手段に含まれる押し台と前記巻取り軸との間に位置する前記帯状清掃布の使用部分に堆積した塵埃を除去可能な位置に配置したことを特徴とする乗客コンベアの移動手摺清掃装置。
【請求項３】
請求項１に記載の発明において、
前記塵埃除去板を、前記帯状清掃布の移動方向に沿うように延設させたことを特徴とする乗客コンベアの移動手摺清掃装置。
【請求項４】
請求項１〜３のいずれか１項に記載の発明において、
前記塵埃除去板が前記塵埃回収容器の一部であることを特徴とする乗客コンベアの移動手摺清掃装置。
【発明の詳細な説明】
【技術分野】
【０００１】
本発明は、エスカレータ等の乗客コンベアに備えられる移動手摺を清掃する乗客コンベアの移動手摺清掃装置に関する。
【背景技術】
【０００２】
従来の乗客コンベアの移動手摺清掃装置としては、例えば、特許文献１に示すものがある。この従来技術は、清掃布装着軸に巻回した帯状清掃布に、清掃液タンク内の清掃液を含浸させた後、その帯状清掃布を清掃布押圧手段により、乗客コンベアの移動手摺に押し付け、この状態で移動手摺を移動させることにより、移動手摺の塵埃を帯状清掃布によって清掃するようになっている。また、移動手摺の清掃終了後、使用した帯状清掃布を巻取り軸に巻き取り、この巻取り軸を取り外し可能に支持させた構成となっている。
【特許文献１】特開平１０−３３８４５０号公報
【発明の開示】
【発明が解決しようとする課題】
【０００３】
しかしながら、前述の特許文献１の従来技術では、移動手摺から除去された塵埃のうち、帯状清掃布に固着した汚れは、帯状清掃布の巻取り動作により、巻取り軸に回収されるが、帯状清掃布上に堆積した綿状の塵埃は、移動手摺清掃装置の周りに飛散、又は堆積する現象があった。その為、保全時に帯状清掃布、及び清掃液タンク内の清掃液の補充といった消耗品の交換作業を行う前に、前述の綿状の塵埃の清掃が必要となり、非効率的であった。また、帯状清掃布の巻取り部分に綿状の塵埃が入り込むことによって、巻き取り済みの布径が大きくなり、帯状清掃布の巻取り動作に不具合が生じる虞もあった。
【０００４】
本発明は、このような従来技術の実状を考慮してなされたもので、その目的は、帯状清掃布上に堆積した綿状の塵埃を周囲に飛散させずに集塵することができる乗客コンベアの移動手摺清掃装置を提供することにある。
【課題を解決するための手段】
【０００５】
この目的を達成するために、本発明は、乗客コンベアに備えられる移動手摺の塵埃を拭取る帯状清掃布と、この帯状清掃布を前記移動手摺に押し付ける清掃布押付手段と、この清掃布押付手段によって押し付けられた前記帯状清掃布を巻き取るための巻取り軸とを有する乗客コンベアの移動手摺清掃装置において、前記帯状清掃布上に堆積する塵埃を除去する塵埃除去板と、この塵埃除去板によって除去された塵埃を回収する塵埃回収容器を設けたことを特徴としている。
【０００６】
このように構成した本発明は、帯状清掃布を清掃布押付手段によって移動手摺に押し付けた状態で、移動手摺を移動させることで、移動手摺を清掃するととともに、清掃で使用した帯状清掃布を巻取り軸に巻き取る際に、移動手摺の清掃によって帯状清掃布上に堆積した綿状の塵埃を、塵埃除去板によって除去し、この除去された綿状の塵埃を塵埃回収容器によって回収するようにしたことから、帯状清掃布上に堆積した綿状の塵埃を周囲に飛散させずに集塵することができる。
【０００７】
また、本発明は前記発明において、前記塵埃除去板を、前記清掃布押付手段に含まれる押し台と前記巻取り軸との間に位置する前記帯状清掃布の使用部分に堆積した塵埃を除去可能な位置に配置したことを特徴としている。このように構成した本発明は、押し台と巻取り軸との間に位置する帯状清掃布の使用部分に堆積した綿状の塵埃を確実に除去することができる。
【０００８】
さらに、本発明は前記発明において、前記塵埃除去板を、前記帯状清掃布の移動方向に沿うように設けたことを特徴としている。このように構成した本発明は、帯状清掃布の移動方向に沿うように塵埃除去板を延設させたことから、帯状清掃布に堆積した綿状の塵埃を塵埃除去板によって削り落すことができる。
【０００９】
また、本発明は前記発明において、前記塵埃除去板が前記塵埃回収容器の一部であることを特徴としている。このように構成した本発明は、塵埃除去板を塵埃回収容器に設けることができるので、塵埃除去板によって除去した綿状の塵埃を塵埃回収容器によって確実に回収することができるとともに、部材数を少なくすることができる。
【発明の効果】
【００１０】
本発明は、帯状清掃布上に堆積する塵埃を除去する塵埃除去板と、この塵埃除去板によって除去された塵埃を回収する塵埃回収容器を設けたことから、帯状清掃布上に堆積した綿状の塵埃を周囲に飛散させずに集塵することができ、これによって、移動手摺清掃装置の保全作業時に、移動手摺清掃装置の周りに飛散、又は堆積した塵埃の清掃が不要となり、消耗品の交換のみで済む為、従来よりも清掃作業員による労力を軽減できるとともに、保全の効率を向上させることができる。
【発明を実施するための最良の形態】
【００１１】
以下、本発明に係る乗客コンベアの移動手摺清掃装置を実施するための最良の形態を図に基づいて説明する。
【００１２】
［本実施形態に係る移動手摺装置が適用される乗客コンベア］
図１は、本発明に係る移動手摺清掃装置の一実施形態を備えた乗客コンベアの一例を示すエスカレータの側面図である。
【００１３】
本実施形態に係る後述する移動手摺清掃装置５を備えた乗客コンベア、例えばエスカレータ１は、図１に示すように、トラス構造からなるフレーム２と、このフレーム２に組み込まれ、無端状に連結された図示しない複数個の踏み段と、この複数個の踏み段の左右に立設された欄干３と、この欄干３に沿って複数個の踏み段の移動方向と同方向に移動する移動手摺４とを備えている。また、本実施形態に係る移動手摺清掃装置５は、例えば、エスカレータ１の下部出入口側に位置する場所に設置され、移動手摺４を清掃する装置である。
【００１４】
［本実施形態の構成］
図２は、図１に示したエスカレータに備えられる本発明の移動手摺清掃装置の一実施形態の構成を示す要部拡大側面図、図３は、本実施形態の移動手摺清掃装置を模式化した要部側面図、図４は、本実施形態の移動手摺清掃装置に備えられる塵埃回収容器に塵埃除去板を組み付ける様子を示す要部斜視図である。
【００１５】
例えば、本発明に係る移動清掃装置５の一実施形態は、図２に示すように、その上方部に開口６Ａを有する箱状の本体ケース６と、移動手摺４の清掃に使用されていない帯状清掃布７をロール状に装着するための清掃布装着軸８と、移動手摺４の清掃に使用された帯状清掃布７を巻き取るための巻取り軸９と、この巻取り軸９と清掃布装着軸８との間に位置する帯状清掃布７を移動手摺４の表面に押圧させる清掃布押付手段１０とを備えている。
【００１６】
また、移動手摺４の移動の有無、及び移動方向を検知する移動手摺速度検出手段１１と、この移動手摺速度検出手段１１の図示しない検出部を移動手摺４に選択的に当接させる検出部昇降手段１２と、移動手摺４の清掃に使用された帯状清掃布７を巻取り軸９に巻き取るために、巻取り軸９を回転させる帯状清掃布更新手段、すなわち巻取り駆動源部１３と、移動手摺４の清掃効果を向上させる清掃液や艶出し剤を帯状清掃布７に含浸させるための清掃液供給手段、すなわち清掃液貯蔵タンク部１４と、帯状清掃布７の巻取り動作等を制御する制御手段１５とを備えている。
【００１７】
前述の清掃布押付手段１０は、移動手摺４の表面に対向させた押し台１０Ａと、この押し台１０Ａを上下動させる昇降機構１０Ｂから成り、昇降機構１０Ｂによって押し台１０Ａを上昇させることで、移動手摺４の表面に押し台１０Ａの上面が押圧されるとともに、昇降機構１０Ｂによって押し台１０Ａを下降させることで、移動手摺４の表面側から押し台１０Ａの上面が離れるように動作するようになっている。
【００１８】
前述の清掃液貯蔵タンク部１４には、この清掃液貯蔵タンク部１４内の下部に移動手摺４の清掃に使用されていない帯状清掃布７を巻装させる回転軸１４Ａが設けられるとともに、移動手摺４の清掃効果を向上させる清掃液や艶出し剤が格納されている。
【００１９】
また、前述の清掃布装着軸８にロール状に巻かれた帯状清掃布７は、清掃液貯蔵タンク部１４内の回転軸１４Ａに巻装された後、移動手摺４の表面と前述の押し台１０Ａの上面との間を経由して巻取り軸９に巻装するようになっている。
【００２０】
特に本実施形態の移動手摺清掃装置５は、図３，４に示すように、移動手摺４の清掃に使用された帯状清掃布７上に堆積する塵埃を除去する塵埃除去板１９と、この塵埃除去板１９によって除去された塵埃を回収する塵埃回収容器１８を備えている。
【００２１】
前述の塵埃除去板１９は、例えば、直方体の平板から成り、図３に示すように、清掃布押付手段１０に含まれる押し台１０Ａと巻取り軸９との間に位置する帯状清掃布７の使用部分７Ａに堆積した綿状の塵埃２０を、塵埃除去板１９の先端部１９Ａによって除去可能な位置に配置してある。すなわち、移動手摺４の清掃に使用された帯状清掃布７の使用部７Ａを巻取り軸９によって巻き取る動作により、帯状清掃布７が移動する移動方向Ｄに沿うように塵埃除去板１９を延設させてある。
【００２２】
また、塵埃除去板１９は、図３に示すように、塵埃回収容器１８の一部を形成している。すなわち、図４に示すように、塵埃除去板１９は、例えば溶接などによって塵埃回収容器１８の本体に形成される開口１８Ａの前方部分１８Ａ１を塞ぐように取り付けられている。
【００２３】
塵埃回収容器１８は、例えば、図２，３に示すように、本体ケース６に図示しないブラケットと図示しないボルトなどによって固定され、前述した開口１８Ａから塵埃除去板１９によって除去された綿状の塵埃２０を回収するようになっている。
【００２４】
［本実施形態による移動手摺４の清掃動作］
図５は、図３の要部を示す図であり、本実施形態に備えられる塵埃除去板により塵埃を回収する前の状態を示す図、図６は、図５に相応する図で、本実施形態に備えられる塵埃除去板により塵埃を回収している状態を示す図である。
【００２５】
次に、本実施形態の移動手摺装置５によって移動手摺４を清掃する動作について、主に図５，６を用いて説明する。まず、図２に示す清掃布押付手段１０の昇降機構１０Ｂによって押し台１０を上昇させ、移動手摺４の清掃に使用されていない帯状清掃布７を移動手摺４の表面に押圧させた状態にする。この状態で、移動手摺４を例えば、一回転移動させることによって移動手摺４の表面の清掃が行われる。
【００２６】
次に、図３に示す移動手摺４の表面の清掃に使用された帯状清掃布７の使用部分７Ａを巻取り軸９に巻き取るために、清掃布押付手段１０の押し台１０Ａを昇降機構１０Ｂによって下降させる。そして、巻取り軸９を回転させて帯状清掃布７を巻き取り、帯状清掃布７を移動方向Ｄへ移動させることによって、図５に示すように、帯状清掃布７の使用部分７Ａが、塵埃除去板１９の先端部１９Ａに接触するとともに、帯状清掃布７の使用部分７Ａ上に堆積した綿状の塵埃２０が、塵埃除去板１９の先端部１９Ａに接触する。この状態から、さらに巻取り軸９を回転させ、帯状清掃布７を移動方向Ｄへ移動させることにより、図６に示すように、帯状清掃布７の使用部分７Ａ上に付着した綿状の塵埃２０が、塵埃除去板１９の先端部１９Ａによって削り落とされる。これにより、前述の綿状の塵埃２０は、帯状清掃布７の使用部分７Ａから分離し、塵埃回収容器１８の開口１８Ａを通して塵埃回収容器１８内に回収される。
【００２７】
さらに、巻取り軸９を回転させることによって、綿状の塵埃２０が除去された帯状清掃布７の使用部分７Ａは、巻取り軸９に巻き取られる。これらの動作によって、移動手摺４の清掃が完了し、清掃布押付手段１０の押し台１０Ａの上面全体には、清掃布装着軸８から移動した移動手摺４の清掃に使用されていない帯状清掃布７が配設され、帯状清掃布７が更新される。
【００２８】
［本実施形態の効果］
このように構成した本実施形態によれば、移動手摺４の清掃に使用された帯状清掃布７の使用部分７Ａ上に堆積する綿状の塵埃２０を除去する塵埃除去板１９と、この塵埃除去板１９の先端部１９Ａで削り落とすことにより除去された綿状の塵埃２０を回収する開口１８Ａを有する塵埃回収容器１８を設けたことから、帯状清掃布７の使用部分７Ａ上に堆積した綿状の塵埃２０を周囲に飛散させずに集塵することができる。これによって、移動手摺清掃装置５の保全作業時に、移動手摺清掃装置５の周りに飛散、又は堆積した塵埃２０の清掃が不要となり、消耗品の交換のみで済む為、従来よりも清掃作業員による労力を軽減できるとともに、保全の効率を向上させることができる。
【００２９】
さらに、帯状清掃布７の使用部分７Ａ上に堆積した綿状の塵埃２０を塵埃回収容器１８に集塵することができるので、巻取り軸９により帯状清掃布７の使用部分７Ａを巻き取る際に、綿状の塵埃２０が巻き取り部分に入り込むことを防止でき、巻き取り済みの布径が大きくなることがなく、巻き取りを円滑に実施することができる。
【００３０】
また、塵埃除去板１９を、清掃布押付手段１０に含まれる押し台１０Ａと巻取り軸９との間の帯状清掃布７の使用部分７Ａが移動する移動方向Ｄに沿うように延設させたことから、帯状清掃布７の使用部分７Ａに堆積した綿状の塵埃２０を塵埃除去板１９の先端部１９Ａによって確実に除去することができる。
【００３１】
なお、本実施形態では、塵埃除去板１９が塵埃回収容器１８の一部を形成しているが、塵埃除去板１９と塵埃回収器１８とを別体に設け、これらを一体にした構成にしてもよい。
【００３２】
また、本実施形態では、塵埃回収容器１８に開口１８Ａを形成しているが、エスカレータ１の出入り口より吹き込む風により、回収した綿状の塵埃２０が飛散したり、帯状清掃布７に再付着することがないように、塵埃回収容器１８の開口１８Ａに図示しないフードや逆止弁等を設けた構成にしてもよい。さらに、塵埃回収容器１８内に綿状の塵埃２０を固着させる為に、塵埃回収容器１８内部に粘着性を持たせた構成としてもよいし、静電気等を利用した図示しない塵埃吸着装置を設けてもよい。また、塵埃回収容器１８は、この塵埃回収容器１８に一体に設けられた塵埃除去板１９と帯状清掃布７との接触による応力によって強度を損なう事のないように、湿気や繰り返しの応力に耐性のある材料とすることが望ましい。また、塵埃回収容器１８、及び塵埃回収容器１８の関連部材は、定期的に交換できるように、着脱可能な構成としてもよい。
【図面の簡単な説明】
【００３３】
【図１】本発明に係る移動手摺清掃装置の一実施形態を備えた乗客コンベアの一例を示すエスカレータの側面図である。
【図２】図１に示したエスカレータに備えられる本発明の移動手摺清掃装置の一実施形態の構成を示す要部拡大側面図である。
【図３】本実施形態の移動手摺清掃装置を模式化した要部側面図である。
【図４】本実施形態の移動手摺清掃装置に備えられる塵埃回収容器に塵埃除去板を組み付ける様子を示す要部斜視図である。
【図５】図３の要部を示す図であり、本実施形態に備えられる塵埃除去板により塵埃を回収する前の状態を示す図である。
【図６】図５に相応する図で、本実施形態に備えられる塵埃除去板により塵埃を回収している状態を示す図である。
【符号の説明】
【００３４】
１        エスカレータ
４        移動手摺
５        移動手摺清掃装置
６        本体ケース
６Ａ      開口部
７        帯状清掃布
７Ａ      使用部分
８        清掃布装着軸
９        巻取り軸
１０      清掃布押付手段
１０Ａ    押し台
１０Ｂ    昇降機構
１３      巻取り駆動源部
１８      塵埃回収容器
１８Ａ    開口
１８Ａ１  前方部分
１９      塵埃除去板
１９Ａ    先端部
２０      塵埃
Ｄ        移動方向
【図１】
2009091080.tif 000003
【図２】
2009091080.tif 000004
【図３】
2009091080.tif 000005
【図４】
2009091080.tif 000006
【図５】
2009091080.tif 000007
【図６】
2009091080.tif 000008